(57)【要約】　　　（修正有）【課題】流水の支障とならず、夾雑物の引っかかりが生ぜずして流れを円滑にしてある下水道用本管と支管の可とう接続継手を新規に提供する。【解決手段】ヒューム管やボックスカルバートからなる下水道本管の側面孔部分の外面に中ぐり部を有す取付板を当て付け、中ぐり部より内側に向けて側面孔内に嵌入する内筒と外側に向けて支管端の受止め面を有す段拡外筒とを設け、段拡外筒に支管端を嵌着することにより、支管端を下水道本管内突出を防止するようにした下水道本管と支管の可とう接続継手。【選択図】　　　　図２
2004076889.tif 000002
【特許請求の範囲】
【請求項１】
ヒューム管，ボックスカルバートなどからなる下水道本管の側面孔部分の外面に中ぐり部を有す取付板を当て付け、該中ぐり部より内側に向けて側面孔内に嵌入する内筒と外側に向けて支管端の受止め面を有す段拡外筒とを設け、該段拡外筒に支管端を嵌着することにより、支管端を下水道本管内突出を防止するようにしたことを特徴とする下水道本管と支管の可とう接続継手。
【請求項２】
支管端部と段拡外筒の外面間にゴム輪を渡し嵌めバンド締めする請求項１記載の可とう接続継手。
【請求項３】
段拡外筒は上下左右に５０度の範囲内にて傾斜している請求項１または２に記載の可とう接続継手。
【請求項４】
内筒の内径を支管の内径と同径にする請求項１乃至３のいずれかに記載の可とう接続継手。
【請求項５】
受止め面を漏斗状の傾斜面にて形成する請求項１乃至４のいずれかに記載の可とう接続継手。
【請求項６】
取付板と受止め面間にＵ形溝を設ける請求項１乃至４のいずれかに記載の可とう接続継手。
【請求項７】
段拡外筒を四角筒形にて形成する請求項１乃至７のいずれかに記載の可とう接続継手
【請求項８】
側面孔は後刻の穿孔によって形成される請求項１乃至７のいずれかに記載の可とう接続継手。
【請求項９】
取付板を本管の外面に沿う曲面形にて形成する請求項１乃至８のいずれかに記載の可とう接続継手。
【発明の詳細な説明】
【０００１】
【発明が属する技術分野】
この発明は既設、新設のヒューム管、ボックスカルバートなどの下水道本管の穿孔を含む側面孔に支管を接続するための可とう継手に関するものである。
【０００２】
【従来の技術】
従来、下水道本管へ支管を接続する場合は図１６に示すように真上または斜め上から本管に嵌込む形式の接続が多く、嵌込みに当って支管端が本管の内部に多少突出しても流水機能に支障は生じなかったが、最近は平行または交錯状に高低等して埋設される本管の間をつなぐ支管が必要となって、支管端が下方から本管の底部内面に嵌込み接続することが多く生ずるようになっている。
【０００３】
【発明が解決しようとする課題】
しかしながら、嵌込み支管端が下水道本管の底部内面に突出するときは流水の障害となるほか流水中の夾雑物が突出部に引っかかり堆積して流水機能を阻害するという課題がある。
【０００４】
【課題を解決するための手段】
本発明はヒューム管，ボックスカルバートなどからなる下水道本管の側面孔部分の外面に中ぐり部を有す取付板を当て付け、該中ぐり部より内側に向けて側面孔内に嵌入する内筒と外側に向けて支管端の受止め面を有す段拡外筒とを設け、該段拡外筒に支管端を嵌着することにより、支管端を下水道本管内突出を防止するようにして、かかる課題を解決するようにしたのである。
【０００５】
【発明の実施の形態】
図１乃至図２に示すようにヒューム管からなる下水道本管１の後刻の穿孔による新設穿孔を含む側面孔２部分の外面に四角形状の金属板にてなる中ぐり部３を有す取付板４をアンカー５止めにて当て付け、中ぐり部３より内側に向けて本管１の管厚より短い内筒６を溶接取付けして側面孔２に接面するようにして嵌め、中ぐり部３より外側に向けて外筒７を溶接取付けしている。外筒７の外端は傾斜面８を挟んで漏斗状に拡がる段拡外筒９を延長形成する。１０は傾斜面の内側、支管１１の受止め面である。傾斜面及び受止め面は図１０に示すように直角面とすることもある。
【０００６】
支管１１の端部はゴム輪１２をバンド１３締め取付けして段拡外筒９に接面嵌入し、受止め面１０にて受止め、ゴム輪１２の先部を段拡外筒９の外面に渡し嵌めしてバンド１３締めして水漏れを防止するようにする。支管１１は工場排水管や家庭排水集合管から本管１に接続するほか図３乃至図４に示すように本管１と本管１の間を接続するのである。支管１１の端部は受止め面１０にて受止められて本管１内に突出しないので本管１の流水を支障することは生じないものとなる。なお内筒６の内径を支管１１の内径と同径にして流水の円滑化を図っている。また段拡外筒９の径は支管１１の外形より大きく形成しているので、嵌入接続後の振動等によるある程度の支管１１の傾斜変化などを許容するものとなる。
【０００７】
図５乃至図６は接続継手の形状例を示すもので、図５（ａ）は外面図、（ｂ）は同、内面図、図６（ａ）はヒューム管の本管取付用として取付板４を円弧状に形成した接続継手を示す側面図、（ｂ）は壁面を平面とするボックスカルバートの本管取付用に取付板４を平面形に形成した接続継手の側面図である。なお１４は内筒６の周囲、取付板４の裏面に張設する水膨張性ゴムである。
【０００８】
図７乃図８は上下左右のいずれかの一方に５０度の範囲内にて段拡外筒９を傾斜取付した例を示すものである。
【０００９】
また図９（ａ）（ｂ）はアンカー５止めにかえてヒューム管の本管１にバンド締め取付けする例を示すもので、取付板４の両側端に締付けバンド１５，１５のずれ止め部１６を設けてバンド１５締め取付けするのである。
【００１０】
図１０は外筒６と段拡外筒９間を直角面８ａとした例を示す部分断面図、図１１乃至図１２は外筒７と段拡外筒９間をＵ字溝形の受止め面１０ａを挟んで接続した他の例を示すものである。
【００１１】
図１３乃至図１５は四角筒形の支管用に同形の段拡外筒９ａを設けた接続継手の例を示すもので、図１３は側面孔２が円形の場合、図１４は側面孔２が四角形である場合を示すものである。１７は内側中間部に設けた孔付きの受止め面である。
【００１２】
【発明の効果】
本発明はヒューム管やボックスカルバートなどからなる下水道本管に後刻の穿孔を含む側面孔に当て付けする継手に受止め面を有す段拡外筒を設けたので、下方から本管の底部に向けて接続する支管もその端部が受止め面にて受止められるために本管の底面内部に突出するということが全く生じないという効果を生じ、支管端が本管の底部内面に突出しないことにより、流水の障害とならず、夾雑物の引っかかりが生ぜずして流れを円滑にするという効果を生ずる。
【図面の簡単な説明】
【図１】本発明の接続継手によりヒューム管の本管に支管を接続した状態を示す部分側面図
【図２】同、部分拡大断面図
【図３】支管により本管同士間を斜め接続した例を示す部分側面図
【図４】支管を本管の下方から接続した例を示す部分側面図
【図５】（ａ）接続継手の外面図、（ｂ）は同、内面図
【図６】（ａ）はヒューム管の本管用に取付板を曲面形とした接続継手の例を示す平面図、（ｂ）はボックスカルバートの本管用に取付板を平面形とした接続継手の例を示す平面図
【図７】（ａ）（ｂ）は同、段拡外筒を上または下方向に傾斜取付けした例を示す側面図
【図８】（ａ）（ｂ）は同、段拡外筒を右または左方向に傾斜取付けした例を示す側面図
【図９】アンカー取付けにかえてバンド締め取付けする接続継手の例を示すもので、（ａ）はその正面図、（ｂ）は取付けた状態にて示す平面図
【図１０】外筒と段拡外筒間を直角面にてつないだ例を示す部分拡大断面図
【図１１】外筒と段拡外筒間をＵ字溝形の受止め面にて接続した例を示す部分拡大断面図
【図１２】同、（ａ）は平面図、（ｂ）は取付板を平面とした例の平面図、（ｃ）（ｄ）は段拡外筒を上下方向に傾斜取付けした例を示す側面図、（ｅ）（ｆ）は同、左右方向に傾斜取付けした例を示す平面図
【図１３】四角筒体の支管用の接続継手を示すもので、（ａ）は側面孔が円形の場合の外面図、（ｂ）は同、内面図
【図１４】同、（ａ）側面孔が四角形の場合の外面図、（ｂ）は同、内面図
【図１５】同、（ａ）は平面図、（ｂ）は取付板を平面とした例の平面図、（ｃ）（ｄ）は段拡外筒を上下方向に傾斜取付けした例を示す側面図、（ｅ）（ｆ）は同、左右方向に傾斜取付けした例を示す平面図
【図１６】従来例図
【符号の説明】
１は本管
２は側面孔
３は中ぐり部
４は取付板
５はアンカー
６は内筒
７は外筒
８は傾斜面
８ａは直角面
９，９ａは段拡外筒
１０，１０ａは受止め面
１１は支管
１２はゴム輪
１３はバンド
１４は水膨張性ゴム
１５は締付けバンド
１６はずれ止め部
１７は孔付きの受止め面
【図１】
2004076889.tif 000003
【図２】
2004076889.tif 000004
【図３】
2004076889.tif 000005
【図４】
2004076889.tif 000006
【図５】
2004076889.tif 000007
【図６】
2004076889.tif 000008
【図７】
2004076889.tif 000009
【図８】
2004076889.tif 000010
【図９】
2004076889.tif 000011
【図１０】
2004076889.tif 000012
【図１１】
2004076889.tif 000013
【図１２】
2004076889.tif 000014
【図１３】
2004076889.tif 000015
【図１４】
2004076889.tif 000016
【図１５】
2004076889.tif 000017
【図１６】
2004076889.tif 000018